(57)【特許請求の範囲】
【請求項１】
テーブル板と、前記テーブル板を支持する支柱部と、ロック機構付きキャスタと、前記ロック機構付きキャスタのロック／ロック解除を行うロック解除機構を備える移動式テーブルにおいて、
前記テーブル板の下側に、長手方向に沿って長く等幅のテーブル補強部材を備え、
前記ロック解除機構は、前記ロック機構付きキャスタのロック機構に連結されてロック／ロック解除の操作を行う複数の操作ワイヤ、テーブル板の長手方向の中央に位置し前記複数の操作ワイヤが掛止されたワイヤレバー、前記ワイヤレバーと接続された操作軸及び操作軸に接続された操作レバーを備え、前記ワイヤレバーと前記操作軸、前記操作レバーは一体として形成され、
前記複数の操作ワイヤは、前記テーブル補強部材の内部と前記支柱部の内部とに収納され、前記複数のワイヤそれぞれは、前記テーブル補強部材の内部で前記テーブル板の長手方向に対称に配置され、前記テーブル板を一番高くしたとき、前記操作ワイヤは弛んだ状態で変移可能に配置され、
前記支柱部は、伸縮可能に構成されるとともに、前記操作ワイヤをガイドするガイド構造を備え、
前記ガイド構造は、前記支柱部の伸縮状態に応じて伸縮可能に構成されることを特徴とする移動式テーブル。
【請求項２】
前記支柱部の伸縮による前記支柱部の内部の操作ワイヤの長さの変化は、前記テーブル板の内部の操作ワイヤで調整し、
前記操作ワイヤは、前記テーブル補強部材の内部の中央付近でループ状に湾曲した状態で変移可能に配置されることを特徴とする請求項１に記載の移動式テーブル。
【請求項３】
前記支柱部は、前記テーブル板側と前記ロック機構付きキャスタ側に設けられる２つの支柱部材を備え、一方の支柱部材に沿って他方の支柱部材を移動することで伸縮可能に構成され、
前記ガイド構造は、前記一方の支柱部材と前記他方の支柱部材に設けられる２つのガイド部材を備え、一方のガイド部材に沿って他方のガイド部材を移動することで伸縮可能に構成されていることを特徴とする請求項１また２に記載の移動式テーブル。
【請求項４】
前記支柱部は、前記テーブル板との接続部が折りたたみ可能に構成されていることを特徴とする請求項１から３のうちの何れか一項に記載の移動式テーブル。
【発明の詳細な説明】
【技術分野】
【０００１】
本発明は、移動式テーブルに係り、特に、ベッドサイドテーブルやオーバーベッドテーブル等におけるロック機構付きキャスタを備えた移動式テーブルに関する。
【背景技術】
【０００２】
従来、ベッドサイドからベッドの幅方向に移動して所定位置に配置して使用するベッドサイドテーブルや、ベッドのフット側からベッドの長手方向に移動して所定位置に配置して使用するオーバーベッドテーブル等の移動式テーブルでは、ユーザがテーブルを使用時にキャスタが動かないようにするためのロック操作機構を備えるものが知られている。
【０００３】
従来技術として、例えば、脚部にロック機構付きキャスタを設けて支柱部が伸縮可能な昇降式テーブルにおいて、テーブル板の下部に操作レバーを設け、脚部にはキャスタのロック機構の作動ピンを作動する作動レバーを設け、操作レバーと作動レバーとを連結する操作ワイヤを設けて、操作レバーを操作することで操作ワイヤを介して作動レバーを動作させてロック機構付きキャスタのロック操作を行うようにしたものが提案されている（特許文献１を参照）。
【０００４】
このような構成によれば、昇降式移動テーブルにおいて、テーブル板側と脚部側とは、インナワイヤとアウタワイヤから成る操作ワイヤにより連結しているので、テーブルの昇降動作（支柱部の伸縮動作）に影響されることなく、操作レバーによりロック機構付きキャスタのロック操作を行うことができる。
【先行技術文献】
【特許文献】
【０００５】
【特許文献１】特許第５３２７８８７号公報
【発明の概要】
【発明が解決しようとする課題】
【０００６】
しかしながら、特許文献１の技術では、昇降式テーブルにおいて、テーブルを下降させて支柱が短くなったときは、支柱部内の操作ワイヤの弛みを解消する必要があり、テーブルを上昇させて支柱が長くなったときは、弛んだ操作ワイヤを滞りなく伸ばすようにする必要がある。
【０００７】
そこで、操作ワイヤの弛みを解消する対策として、支柱部の内部で操作ワイヤの弛みを収納する方式と、支柱部の外側に操作ワイヤの弛み分を押し出してテーブル側で収納する方式とが知られている。
【０００８】
支柱部の内部で操作ワイヤの弛みを収納する方式では、操作ワイヤを湾曲させて収納するため、操作ワイヤの動作が悪くなる虞がある。一方、テーブル側で操作ワイヤの弛みを収納する方式では、支柱部が伸縮する動作に応じて操作ワイヤを出し入れして支柱部の長さに対応させる必要があり、操作ワイヤの弛みを安定して変化させることは難しいという問題がある。
【０００９】
本発明は、上記従来の問題点に鑑みてなされたものであって、ロック機構付きキャスタを備える移動式テーブルにおいて、テーブルの高さが変化しても、操作ワイヤによるキャスタのロック／ロック解除操作を安定して行うことができる移動式テーブルを提供することを目的とする。
【課題を解決するための手段】
【００１０】
上述した課題を解決するための本発明に係る移動式テーブルは、次の通りである。
【００１１】
本発明は、テーブル板と、前記テーブル板を支持する支柱部と、ロック機構付きキャスタと、前記ロック機構付きキャスタのロック／ロック解除を行うロック解除機構を備える移動式テーブルにおいて、前記テーブル板の下側に、長手方向に沿って長いテーブル補強部材を備え、前記ロック解除機構の構成として、前記ロック機構付きキャスタのロック機構に連結されてロック／ロック解除の操作を行う操作ワイヤを備え、前記操作ワイヤを、前記テーブル補強部材１０３の内部と前記支柱部の内部とに収納して、前記支柱部を伸縮可能に構成するとともに、前記支柱部の構成として前記操作ワイヤをガイドするガイド構造（ワイヤガイド）を備え、前記ガイド構造を前記支柱部の伸縮状態に応じて伸縮可能に構成することを特徴とするものである。
【００１２】
また、本発明は、前記支柱部の伸縮による前記支柱部の内部の操作ワイヤの長さの変化を前記テーブル板の内部の操作ワイヤで調整することが好ましい。
【００１３】
また、本発明は、前記支柱部の構成として、前記テーブル板側と前記ロック機構付きキャスタ側に設けられる２つの支柱部材を備え、一方の支柱部材に沿って他方の支柱部材を移動することで伸縮可能に構成し、前記ガイド構造の構成として、前記一方の支柱部材と前記他方の支柱部材に設けられる２つのガイド部材を備え、一方のガイド部材に沿って他方のガイド部材を移動することで伸縮可能に構成することが好ましい。
【００１４】
また、本発明は、前記支柱部を前記テーブル板との接続部を折りたたみ可能に構成することが好ましい。
【発明の効果】
【００１５】
本発明の移動式テーブルによれば、テーブル板と、前記テーブル板を支持する支柱部と、ロック機構付きキャスタと、前記ロック機構付きキャスタのロック／ロック解除を行うロック解除機構を備える移動式テーブルにおいて、前記テーブル板の下側に、長手方向に沿って長いテーブル補強部材を備え、前記ロック解除機構の構成として、前記ロック機構付きキャスタのロック機構に連結されてロック／ロック解除の操作を行う操作ワイヤを備え、前記操作ワイヤを、前記テーブル補強部材の内部と前記支柱部の内部とに収納して、前記支柱部を伸縮可能に構成するとともに、前記支柱部の構成として前記操作ワイヤをガイドするガイド構造（ワイヤガイド）を備え、前記ガイド構造を前記支柱部の伸縮状態に応じて伸縮可能に構成することで、支柱部の長さが変化しても、操作ワイヤが大きく変形することなく前記ガイド構造に沿って移動できるので、操作ワイヤによるキャスタのロック／ロック解除操作を安定して行うことができる。これにより、テーブルの高さを自由に変更することができ、操作性に優れた移動式テーブルを実現できる。
【００１６】
また、本発明によれば、前記支柱部の伸縮による前記支柱部の内部の操作ワイヤの長さの変化を前記テーブル板の内部で調整することで、操作ワイヤの屈曲状態を大きくとることができる。これにより、操作ワイヤを動作させる負荷を軽減できる。
【００１７】
また、本発明によれば、前記支柱部の構成として、前記テーブル板側と前記ロック機構付きキャスタ側に設けられる２つの支柱部材を備え、一方の支柱部材に沿って他方の支柱部材を移動することで伸縮可能に構成し、前記ガイド構造の構成として、前記一方の支柱部材と前記他方の支柱部材に設けられる２つのガイド部材を備え、一方のガイド部材に沿って他方のガイド部材を移動することで伸縮可能に構成することで、簡単な構成で操作ワイヤをガイドすることができる。
【００１８】
また、本発明によれば、前記支柱部を前記テーブル板との接続部を折りたたみ可能に構成することで、前記移動式テーブルを運搬、収納する際に、省スペースで運搬、収納することができる。
【図面の簡単な説明】
【００１９】
【図１】本発明の実施形態に係る移動式テーブルの全体の構成を示す説明図である。
【図２】前記移動式テーブルの全体の構成を示す正面視による説明図である。
【図３】前記移動式テーブルの全体の構成を示す側面視による説明図である。
【図４】前記移動式テーブルを高くした状態を示す側面視による説明図である。
【図５】前記移動式テーブルを構成する支柱部内に設けられるガイド部材の構成を示す説明図である。
【図６】前記移動式テーブルを高くしたときのガイド部材の状態を示す説明図である。
【図７】（ａ）は前記移動式テーブルを使用する際に支柱部を立てたときの支柱部とテーブル板との連結部の状態を示す説明図、（ｂ）は前記支柱部を折りたたんだときの支柱部とテーブル板との連結部の状態を示す説明図である。
【図８】（ａ）は前記移動式テーブルを構成する脚部の構成を示す説明図、（ｂ）は前記脚部を構成するキャスタおよびロック機構の構成を示す説明図である。
【図９】前記移動式テーブルを構成するロック解除機構の全体構成を示す説明図である。
【図１０】前記ロック解除機構を構成する操作ワイヤの設置状態を示す説明図である。
【図１１】前記操作ワイヤのテーブル側から支柱部側へ連絡する構成を示す説明図である。
【図１２】前記ロック解除機構を構成するワイヤレバーの構成を示す説明図である。
【図１３】前記ロック解除機構を構成する操作レバーの構成を示す説明図である。
【図１４】前記ロック解除機構を構成するストップボタンの配置を示す説明図である。
【図１５】前記ストップボタンとワイヤレバーとの位置関係を示す説明図である。
【図１６】前記ストップボタンの構成を示す説明図である。
【図１７】（ａ）は前記ストップボタンの取付け状態を示す断面図、（ｂ）は前記ストップボタンを動作させた状態を示す説明図である。
【図１８】本実施形態のロック解除保持部材を構成するストップボタンの実施例２の構成を示す説明図である。
【図１９】（ａ）は実施例２のストップボタンの取付け状態を示す断面図、（ｂ）は前記ストップボタンを動作させた状態を示す説明図である。
【発明を実施するための形態】
【００２０】
以下、本発明の移動式テーブルを実施するための形態について図面を参照して詳細に説明する。
図１は本発明を実施する形態の一例であって、本発明の実施形態に係る移動式テーブルの全体の構成を示す説明図、図２は前記移動式テーブルの全体の構成を示す正面視による説明図、図３は前記移動式テーブルの全体の構成を示す側面視による説明図、図４は前記移動式テーブルを高くした状態を示す側面視による説明図、図５は前記移動式テーブルを構成する支柱部内に設けられるガイド部材の構成を示す説明図、図６は前記移動式テーブルを高くしたときのガイド部材の状態を示す説明図、図７（ａ）は前記移動式テーブルを使用する際に支柱部を立てたときの支柱部とテーブル板との連結部の状態を示す説明図、（ｂ）は前記支柱部を折りたたんだときの支柱部とテーブル板との連結部の状態を示す説明図、図８（ａ）は前記移動式テーブルを構成する脚部の構成を示す説明図、（ｂ）は前記脚部を構成するキャスタおよびロック機構の構成を示す説明図である。
【００２１】
本実施形態に係る移動式テーブル１は、オーバーベッドテーブルであって、図１〜図３に示すように、テーブル板１０と、テーブル板１０を支持する支柱部２０と、支柱部２０の基部に設けられるロック機構付きキャスタ（以下、「キャスタ」と称する。）３１を備える脚部３０と、ワイヤ操作によりキャスタ３１のロック／ロック解除を行うロック解除機構４０を有する移動式テーブルにおいて、本発明に係る移動式テーブルの特徴的な構成を備えることを特徴としている。
【００２２】
まず、本実施形態の移動式テーブル１の全体構成について図面を参照して説明する。
【００２３】
テーブル板１０は、図１，図２に示すように、ベッド装置（図示省略）の幅方向にわたりベッド装置を跨いで配置することが可能なように細長い矩形状に形成されている。
そして、テーブル板１０は、上面１０１と下面１０２とを備えている。
【００２４】
下面１０２の長手方向両端部には支柱部２０が配置されて、移動式テーブル１を門型状に形成している。支柱部２０の基部にはキャスタ３１を備える脚部３０が具備されている。
【００２５】
下面１０２の下側には、図２に示すように、長手方向に沿って長くテーブル補強部材１０３が設けられている。テーブル補強部材１０３には支柱部２０が折りたたみ可能に構成されている。
【００２６】
また、テーブル板１０の長手方向に沿った側端部の下には、図１，図３に示すように、ロック解除機構４０が設けられている。テーブル板１０とテーブル補強部材１０３との間には、ロック解除機構４０の一部を構成する曲げ伸ばし可能な操作ワイヤ４１が敷設されている。
【００２７】
移動式テーブル１においては、操作ワイヤ４１は、テーブル補強部材１０３の内部と支柱部２０の内部とに収納されている。
【００２８】
ここで、本実施形態の支柱部２０の特徴的な構成について図面を参照して説明する。
支柱部２０は、図３，図４に示すように、伸縮可能に構成されている。具体的には、支柱部２０は、第１支柱部材２０１と第２支柱部材２０２とを備え、第１支柱部材２０１に沿って第２支柱部材２０２をテーブル板１０とともに図中上下方向に移動することで伸縮するように構成されている。
【００２９】
第１支柱部材２０１は脚部３０側に設けられ、第２支柱部材２０２はテーブル板１０側に設けられて、図示しない駆動機構により、ユーザがテーブル板１０を押上げたり、押し下げたりする操作によるテーブル板１０の高さ調整を可能にしている。
【００３０】
支柱部２０の内部には、支柱部２０が伸縮する動作に対応して支柱部２０内部に配設される操作ワイヤ４１をガイドするガイド構造２１が構成されている。
【００３１】
ガイド構造２１は、第１ガイド部材２１１と第２ガイド部材２１２とを備え、支柱部２０が伸縮する範囲で第１ガイド部材２１１に沿って第２ガイド部材２１２を図中上下方向に移動することで伸縮するように構成されている。
【００３２】
第１ガイド部材２１１は第１支柱部材２０１側に設けられ、第２ガイド部材２１２は第２支柱部材２０２側に設けられて、支柱部２０が伸縮することで支柱部２０内部に配設される操作ワイヤ４１の長さが変化しても折れ曲がらないようにガイドするように構成されている。
【００３３】
具体的には、第１ガイド部材２１１と第２ガイド部材２１２は、図５に示すように、筒状体で構成され、内部に配置される操作ワイヤ４１が大きく湾曲しない程度の内径で構成されている。材質としては、樹脂材または金属材を用いても良い。
【００３４】
そして、図５，図６に示すように、支柱部２０が伸縮した状態でも、第２ガイド部材２１２は、その内部で操作ワイヤ４１が容易に移動可能に配置され、第１ガイド部材２１１は、その内部で第２ガイド部材２１２および操作ワイヤ４１が容易に移動可能に配置される。
【００３５】
また、支柱部２０は、図７（ａ），（ｂ）に示すように、第２支柱部材２０２が、テーブル板１０の下部に設けられたテーブル補強部材１０３に折りたたみ可能に取付けられている。
【００３６】
第２支柱部材２０２には、テーブル補強部材１０３に取付けられる支柱連結部２０３が一体的に設けられている。
【００３７】
支柱連結部２０３は、図７（ａ）に示すように、回動支持部２０３ａと、固定部２０３ｂ、２０３ｃとを備えている。
【００３８】
支柱連結部２０３は、回動支持部２０３ａを支点として支柱連結部２０３をテーブル補強部材１０３に回動可能に軸支されている。
【００３９】
回動支持部２０３ａは、支柱部２０を折りたたむときには、支柱連結部２０３を回動する支点として機能するとともに、テーブル補強部材１０３に形成された長穴状のガイド穴１０３ａに沿って支柱連結部２０３の回動をガイドする。そして、回動支持部２０３ａは、テーブル使用状態では図示しない支持部材によりガイド穴１０３ａに係合される。
【００４０】
固定部２０３ｂ、２０３ｃは、テーブル使用状態では図示しない締結部材によりテーブル補強部材１０３に形成された取付け穴１０３ｂ、１０３ｃにそれぞれ固定される。
【００４１】
このように、支柱連結部２０３を設けることで、移動式テーブル１を使用するときは、第２支柱部材２０２をテーブル補強部材１０３に対して、支持部材により回転支持部２０３ａを係合した状態で、締結部材により固定部２０３ｂ、２０３ｃの２箇所で確実に固定することができる。
一方、移動式テーブル１を使用しないときは、固定部２０３ｂ、２０３ｃの締結部材を外すだけで、回動支持部２０３ａによりテーブル補強部材１０３に支柱連結部材２０３を連結した状態で第２支柱部材２０２を簡単に折りたたむことができ、コンパクトに収納することができる。
【００４２】
次に、脚部３０について説明する。
脚部３０は、図８（ａ），（ｂ）に示すように、キャスタ３１と、キャスタ３１の回転動作をロック／ロック解除するロック機構３２と、キャスタ３１とロック機構３２が組み込まれる脚部フレーム３３とを備えて構成されている。
【００４３】
脚部フレーム３３は、図８（ａ）に示すように、テーブル板１０の幅方向に沿って長く形成され、その両端部にキャスタ３１が取付けられている。
【００４４】
キャスタ３１は、図８（ｂ）に示すように、脚部フレーム３３の端部に取付けられた取付けブラケット３３１に対して取付け軸３１１を中心に回転自在に軸支されている。この取付け軸３１１と同軸上にブレーキシュー３２１を支持するブレーキシュー支持軸３２２が取付け軸３１１の軸線方向に移動可能に取付けられている。
【００４５】
ブレーキシュー支持軸３２２は、図８（ｂ）に示すように、コイルばね３２３によりブレーキシュー３２１がキャスタ３１から離間する方向（図中上方向）に付勢されている。
【００４６】
ブレーキシュー３２１は、ロック機構３２を構成する操作アーム３２４により駆動操作されるようになっている。そして、ブレーキシュー支持軸３２２が操作アーム３２４に突設されたストッパ部３２４ｃに当接することでブレーキシュー３２１の位置が設定される。
【００４７】
操作アーム３２４は、一端部３２４ａが取付けブラケット３３１のキャスタ３１の取付け位置（取付け軸３１１の位置）よりも外側に設けられた支持部３３１ａに支持軸３２５により回動自在に軸支され、他端部３２４ｂが連結ピン３２６によりインナワイヤ４１１に連結されている。他端部３２４ｂには、連結ピン３２６の動きをガイドする長穴状のガイド穴３２４ｃが形成されている。
【００４８】
操作アーム３２４は、脚部フレーム３３の端部から中央部にわたり配置されている。
【００４９】
操作アーム３２４は、インナワイヤ４１１により支持軸３２５を支点に他端部３２４ｂを上下方向に回動操作される。
【００５０】
操作アーム３２４は、他端部３２４ｂが上方に回動すると、ストッパ部３２４ｃが上方に変移するため、ブレーキシュー３２１はコイルばね３２３のばね力により上方にキャスタ３１から離間する方向、すなわち、キャスタ３１のロックを解除する方向に移動する。
【００５１】
一方、他端部３２４ｂがコイルばね３２７のばね力によって下方に回動すると、ストッパ部３２４ｃが下方に変移するため、ブレーキシュー３２１はコイルばね３２３のばね力を抗して下方にキャスタ３１に当接する方向、すなわち、キャスタ３１をロックする方向に移動する。
【００５２】
操作アーム３２４は、脚部フレーム３３の中央部において、脚部フレーム３３の他端部に配置された他のキャスタ３１の操作アーム３２４の他端部３２４ｂと連結ピン３２６により連結されている。
【００５３】
このように構成することで、連結ピン３２６に連結されたインナワイヤ４１１を操作することにより、操作アーム３２４の両端部のロック機構３２を同時に動作させることができる。
【００５４】
次に、ロック解除機構４０について図面を参照して説明する。
図９は本実施形態の移動式テーブルを構成するロック解除機構の全体構成を示す説明図、図１０は前記ロック解除機構を構成する操作ワイヤの設置状態を示す説明図、図１１は前記操作ワイヤのテーブル側から支柱部側へ連絡する構成を示す説明図、図１２は前記ロック解除機構を構成するワイヤレバーの構成を示す説明図、図１３は前記ロック解除機構を構成する操作レバーの構成を示す説明図、図１４は前記ロック解除機構を構成するストップボタンの配置を示す説明図、図１５は前記ストップボタンとワイヤレバーとの位置関係を示す説明図、図１６は前記ストップボタンの構成を示す説明図、図１７（ａ）は前記ストップボタンの取付状態を示す断面図、（ｂ）は前記ストップボタンを動作させた状態を示す説明図である。
【００５５】
ロック解除機構４０は、図１，図２，図９に示すように、操作ワイヤ４１、ワイヤレバー４２、操作軸４３、操作レバー４４、ストップボタン４５、操作部カバー４６を備えて構成されている。
【００５６】
操作ワイヤ４１は、図８〜図１２に示すように、動作するインナワイヤ４１１とアウタワイヤ４１２とを備えて、テーブル板１０側のワイヤレバー４２と脚部３０側のキャスタ３１のロック機構３２に連結されてロック／ロック解除の操作を行う。
【００５７】
操作ワイヤ４１は、図１０に示すように、一端部がワイヤレバー４２に取付けられ、図１１に示すように、テーブル板１０側から支柱部２０の内部を通って脚部３０側へ敷設されて、図８（ａ）に示すように、他端部が脚部３０のキャスタ３１のロック機構３２の連結ピン３２６によって操作アーム３２４に取付けられている。
【００５８】
そして、操作ワイヤ４１は、支柱部２０が伸縮する範囲でキャスタ３１のロック機構３２のロック／ロック解除操作が可能なように、図９に示すように、テーブル板１０とテーブル補強部材１０３との間で長さ余裕を持たせるように湾曲させて敷設されている。
【００５９】
具体的には、操作ワイヤ４１は、図１２に示すように、インナワイヤ４１１の一端部をワイヤレバー４２に取付け、図１０に示すように、アウタワイヤ４１２の一端部を接続部材４１２ａによりテーブル補強部材１０３の中央付近に設けられた操作ワイヤ取付け部１０２ａに取付けた状態で、テーブル補強部材１０３の中央付近で円弧状に湾曲させて余裕を持たせて、図１１に示すように、テーブル補強部材１０３の側端部からワイヤガイド部４８を介して支柱部２０の内部を通って脚部３０まで引き回して、図８（ａ）に示すように、インナワイヤ４１１の他端部をキャスタ３１のロック機構３２に取付け、アウタワイヤ４１２の他端部を脚部３０の一部に取付けられている。
【００６０】
ワイヤガイド部４８は、湾曲した筒状体で構成され、支柱部２０が伸縮することにより操作ワイヤ４１が変移する際に曲げＲが極端に小さくならないようにガイドするようにされている。
【００６１】
操作ワイヤ４１は、テーブル板１０の両側部に設けられた２箇所の支柱部２０から脚部３０にわたり同じ様に敷設されている。
【００６２】
ワイヤレバー４２は、図１２に示すように、テーブル板１０の下部でテーブル補強部材１０３の中央付近に配置され、インナワイヤ４１１の一端部が接続されて動作させることで、インナワイヤ４１１の他端部が接続される移動式テーブル１の両端部の２箇所に配置される脚部３０のキャスタ３１のロック機構３２を同時に動作させる。
【００６３】
操作軸４３は、図９に示すように、テーブル補強部材１０３の長手方向の側端部に沿って長く設けられ、テーブル補強部材１０３に回動可能に取付けられている。操作軸４３の長手方向の中央部付近にはワイヤレバー４２が一体的に設けられて、操作軸４３の回動とともにワイヤレバー４２が一体的に回動するようにされている。
【００６４】
操作レバー４４は、図１３に示すように、一端部が外側に突設された略Ｌ字状のレバー部であって、他端部が操作軸４３に一体的に設けられて、操作軸４３を回動させる。
本実施形態では、操作レバー４４は、操作軸４３の両端部に設けられている。
【００６５】
ストップボタン４５は、ロック解除機構４０によるキャスタ３１のロック機構３２のロック解除状態を保持するロック解除保持部材として機能する。
【００６６】
操作部カバー４６は、図１４，図１５に示すように、ワイヤレバー４２付近をカバーするとともに、ワイヤレバー４２に対してストップボタン４５を所定の位置に配置するものである。
【００６７】
ストップボタン４５は、図１６、図１７（ａ），（ｂ）に示すように、一端側につば部４５ａが形成され、他端側が開口した筒状体で形成され、この筒状体の内部にコイルばね４５１が配置される。ストップボタン４５の他端側の端部には、外周に沿って筒状体よりも外側に突出した当接部４５ｂが形成されている。
【００６８】
ストップボタン４５は、通常はコイルばね４５１により操作部カバー４６の外側に突出した状態となるように付勢されている。
【００６９】
つば部４５ａは、図１４に示すように、ストップボタン４５が操作部カバー４６に押し込まれたときに、操作部カバー４６内部に入り込まないようにストッパとして機能する。
【００７０】
本実施形態では、ストップボタン４５は、図１４に示すように、操作部カバー４６に押し込まれた状態で、図１５に示すように、動作したワイヤレバー４２の一部（リブ４２ａ）と当接して、ワイヤレバー４２が動作した状態を保持するように構成されている。
【００７１】
次に、移動式テーブル１の高さを変化させたときの操作ワイヤ４１の動作状態について図面を参照して説明する。
【００７２】
まず、移動式テーブル１のテーブル板１０の高さが高くなるように操作する場合は、図４に示すように、支柱部２０は、第１支柱部材２０１に沿って第２支柱部材２０２が上方に移動する。
このとき、ガイド構造２１は、第１支柱部材２０１と一体的に設けられた第１ガイド部材２１１に沿って第２支柱部材２０２と一体的に設けられた第２ガイド部材２１２が上方に移動する。
【００７３】
このように、移動式テーブル１のテーブル板１０の高さが高くなるように操作されると、図６に示すように、ガイド構造２１は、第１ガイド部材２１１から第２ガイド部材２１２が出てきて伸びた状態となるので、操作ワイヤ４１は第１ガイド部材２１１と第２ガイド部材２１２に沿って移動して操作ワイヤ４１が長く配置される。
【００７４】
一方、移動式テーブル１のテーブル板１０の高さが低くなるように操作する場合は、図３に示すように、支柱部２０は、第１支柱部材２０１に沿って第２支柱部材２０２が下方に移動する。
このとき、ガイド構造２１は、第１支柱部材２０１と一体的に設けられた第１ガイド部材２１１に沿って第２支柱部材２０２と一体的に設けられた第２ガイド部材２１２が下方に移動する。
【００７５】
このように、移動式テーブル１のテーブル板１０の高さが低くなるように操作されると、図５に示すように、ガイド構造２１は、第１ガイド部材２１１に第２ガイド部材２１２が入り込んで縮んだ状態となるので、操作ワイヤ４１は第１ガイド部材２１１と第２ガイド部材２１２に沿って湾曲することなく短い状態で配置される。このとき、テーブル板１０が低くなった分の操作ワイヤ４１の長さの変化量は、第１ガイド部材２１１と第２ガイド部材２１２に沿って移動してテーブル板１０側に収納される。
【００７６】
このようにして、移動式テーブル１のテーブル板１０の高さを変化しても、伸縮するように構成したガイド構造２１に沿って操作ワイヤ４１移動することができるので、操作ワイヤ４１が変形して不具合を起こすことなくテーブル板１０側および支柱部２０側に収納することができる。
【００７７】
以上のように構成したので、本実施形態によれば、テーブル板１０と、テーブル板１０を支持する支柱部２０と、ロック機構３２を備えるキャスタ３１と、ロック機構３２のロック／ロック解除を行うロック解除機構４０を備える移動式テーブル１において、ロック解除機構４０の構成として、ロック機構３２に連結されてロック／ロック解除の操作を行う操作ワイヤ４１を備え、操作ワイヤ４１を、テーブル補強部材１０３の内部と支柱部２０の内部とに収納して、支柱部２０を伸縮可能に構成するとともに、支柱部２０の構成として操作ワイヤ４１をガイドするガイド構造２１を備え、ガイド構造２１の構成として第１ガイド部材２１１と第２ガイド部材２１２とを備えて、支柱部２０の伸縮状態に応じてガイド構造２１を伸縮可能に構成することで、支柱部２０の長さが変化しても、操作ワイヤが大きく変形することなくガイド構造２１に沿って移動できるので、操作ワイヤ４１によるキャスタ３１のロック／ロック解除操作を安定して行うことができる。
これにより、テーブル板１０の高さを自由に変更することができ、操作性に優れた移動式テーブル１を実現できる。
【００７８】
なお、本実施形態では、ロック解除保持部材として機能するストップボタン４５は、図１７（ａ），（ｂ）に示すように、ロック解除操作する際に、操作カバー４６にストップボタン４５が入り込むように構成されているが、本発明は、ロック解除保持部材の構成をこれに限定するものではない。
【００７９】
以下に、本実施形態のロック解除機構を構成するストップボタン４５の実施例２について説明する。
図１８は本実施形態のロック解除保持部材を構成するストップボタンの実施例２の構成を示す説明図、図１９（ａ）は実施例２のストップボタンの取付け状態を示す断面図、（ｂ）は前記ストップボタンを動作させた状態を示す説明図である。
【００８０】
実施例２は、ロック解除保持部材の構成として、図１８に示すように、操作カバー１４６にガイド部１４６ａを設けて、ガイド部１４６ａに沿ってストップボタン１４５を動作可能に取付けるようにしたものである。
【００８１】
具体的には、図１８、図１９（ａ），（ｂ）に示すように、操作カバー１４６には、ストップボタン１４５をガイドするガイド部１４６ａが形成されている。ガイド部１４６ａは筒状に突出形成されている。
【００８２】
ストップボタン１４５は、ガイド部１４６ａの外周に沿って動作するボタン部１４５ａと、ガイド部１４６ａの内周に沿って動作する当接部１４５ｂとを備えて構成されている。ボタン部１４５ａと当接部１４５ｂとは取付けねじ１４５ｃにより一体的に連結されている。
【００８３】
ボタン部１４５ａは、一端側に当接部１４５ｂが取付けられる取付け部１４５ａ１が形成され、他端側が開口した筒状体で形成され、この筒状体の内部にコイルばね１４５１が配置される。
【００８４】
当接部１４５ｂは、柱状に形成され、一端部にはボタン部１４５ａに締結可能なようにねじ穴が形成され、他端部には柱状体よりも外側に突出したつば部１４５ｂ１が形成されている。当接部１４５ｂは、金属部材により形成されたものであってもよい。
【００８５】
つば部１４５ｂ１は、図１９（ａ），（ｂ）に示すように、ストップボタン１４５が操作部カバー１４６から飛び出さないようにストッパとしても機能するとともに、ワイヤレバー４２の一部と当接してワイヤレバー４２の動作状態を保持するようにされている。
【００８６】
この実施例では、ロック解除保持操作が行われると、図１９（ａ），（ｂ）に示すように、ストップボタン１４５が所定量操作カバー１４６側に変移することで、当接部１４５ｂが操作カバー１４６内部へ突出し、動作したワイヤレバー４２の一部（リブ４２ａ）と当接して、ワイヤレバー４２が動作した状態を保持するように構成されている。
【００８７】
以上のように構成したので、実施例２によれば、ストップボタン１４５を押してロック解除保持操作を行うときに、当接部１４５ｂが操作カバー１４６のガイド部１４６ａによりガイドされてスムーズに動作するため、操作性の向上を図ることができる。
【００８８】
なお、本発明は、上述した実施形態や実施例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００８９】
本発明のベッド装置は、医療用、介護用のベッド等に利用することができる。
【符号の説明】
【００９０】
１  移動式テーブル
１０  テーブル板
２０  支柱部
２１  ガイド構造
３０  脚部
３１  キャスタ
３２  ロック機構
４０  ロック解除機構
４１  操作ワイヤ
１０１  上面
１０２  下面
１０３  テーブル補強部材
２０１  第１支柱部材
２０２  第２支柱部材
２１１  ガイド部材
２１２  ガイド部材
４１１  インナワイヤ
４１２  アウタワイヤ
【図１】
0006505409.tif 000002
【図２】
0006505409.tif 000003
【図３】
0006505409.tif 000004
【図４】
0006505409.tif 000005
【図５】
0006505409.tif 000006
【図６】
0006505409.tif 000007
【図７】
0006505409.tif 000008
【図８】
0006505409.tif 000009
【図９】
0006505409.tif 000010
【図１０】
0006505409.tif 000011
【図１１】
0006505409.tif 000012
【図１２】
0006505409.tif 000013
【図１３】
0006505409.tif 000014
【図１４】
0006505409.tif 000015
【図１５】
0006505409.tif 000016
【図１６】
0006505409.tif 000017
【図１７】
0006505409.tif 000018
【図１８】
0006505409.tif 000019
【図１９】
0006505409.tif 000020